(57)【要約】【課題】多様な着信音を発生する。【解決手段】予め設定されたサーバと通信を行う電話機であって、それぞれが異なる着信音に対応し、対応する着信音を発生するためにそれぞれ用いられる複数の着信音データを格納する着信音格納部と、サーバから取得する取得データに基づき、着信音格納部に格納された複数の着信音データから、一の着信音データを選択する着信音選択部と、着信音選択部が一の着信音データを選択した後に電話機が着信した場合に、当該一の着信音データに対応する着信音を発生する着信音発生部とを備える。【選択図】  図１
2004221797.tif 000002
【特許請求の範囲】
【請求項１】
予め設定されたサーバと通信を行う電話機であって、
それぞれが異なる着信音に対応し、対応する前記着信音を発生するためにそれぞれ用いられる複数の着信音データを格納する着信音格納部と、
前記サーバから取得する取得データに基づき、前記着信音格納部に格納された前記複数の着信音データから、一の前記着信音データを選択する着信音選択部と、
前記着信音選択部が前記一の着信音データを選択した後に前記電話機が着信した場合に、当該一の着信音データに対応する前記着信音を発生する着信音発生部と
を備えることを特徴とする電話機。
【請求項２】
前記着信音選択部は、予め設定されたキーワードが前記取得データに含まれているか否かを検索した結果に基づき、前記一の着信音データを選択することを特徴とする請求項１に記載の電話機。
【請求項３】
前記電話機が着信した場合に表示すべき着信画面を、前記取得データに基づいて生成する着信画面生成部と、
前記電話機が着信した場合に、前記着信画面を表示する表示部と
を更に備えることを特徴とする請求項１に記載の電話機。
【発明の詳細な説明】
【０００１】
【発明の属する技術分野】
本発明は、電話機に関する。特に本発明は、予め設定されたサーバと通信を行う電話機に関する。
【０００２】
【従来の技術】
従来、時期毎に異なる着信音を設定する携帯電話機が知られている（例えば、特許文献１参照。）。この携帯電話機では、ユーザは、例えば時刻、月、季節、又は曜日毎に異なる着信音を設定できる。
【０００３】
【特許文献１】
特開平２００２−１９０８５０号公報（第２−８頁、第１−５図）
【０００４】
【発明が解決しようとする課題】
しかし、この電話機においては、時期に応じて着信音が決定されるため、例えば同じ時刻に着信した場合には、同じ着信音が鳴る。そのため、従来の電話機において、多様な着信音を鳴らすことは困難であった。
【０００５】
そこで本発明は、上記の課題を解決することのできる電話機を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、予め設定されたサーバと通信を行う電話機であって、それぞれが異なる着信音に対応し、対応する着信音を発生するためにそれぞれ用いられる複数の着信音データを格納する着信音格納部と、サーバから取得する取得データに基づき、着信音格納部に格納された複数の着信音データから、一の着信音データを選択する着信音選択部と、着信音選択部が一の着信音データを選択した後に電話機が着信した場合に、当該一の着信音データに対応する着信音を発生する着信音発生部とを備える。
【０００７】
また、着信音選択部は、予め設定されたキーワードが取得データに含まれているか否かを検索した結果に基づき、一の着信音データを選択してよい。
【０００８】
また、電話機が着信した場合に表示すべき着信画面を、取得データに基づいて生成する着信画面生成部と、電話機が着信した場合に、着信画面を表示する表示部とを更に備えてよい。
【０００９】
なお上記の発明の概要は、本発明の必要な特徴の全てを列挙したものではなく、これらの特徴群のサブコンビネーションも又発明となりうる。
【００１０】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１１】
図１は、本発明の一実施形態に係る携帯電話機１００の構成の一例を示す。本例の携帯電話機１００は、予め設定されたサーバと通信を行う電話機の一例であり、サーバ５０から受け取るダウンロード情報に基づき、複数種類の着信音から一の着信音を選択することにより、多様な着信音を発生する。携帯電話機１００は、サーバ５０と、例えばインターネット等を介して通信してよい。本例において、携帯電話機１００は、無線部１０２、マイク１０８、制御部１０４、記憶部１１８、着信音選択部１１２、スピーカ１０６、着信画面生成部１１４、表示部１１６、及び操作部１１０を備える。
【００１２】
無線部１０２は、無線により基地局５２と通信可能に接続され、基地局５２から受信する受信信号を制御部１０４に与える。また、無線部１０２は、制御部１０４から受け取る送信信号を基地局５２に送信する。本例において、無線部１０２は、基地局５２を介して、サーバ５０と通信可能に接続される。
【００１３】
マイク１０８は、ユーザの発生する音声に基づく送信音声データを制御部１０４に与える。制御部１０４は、マイク１０８から受け取る送信音声データに基づく送信信号を生成して、無線部１０２に与える。また、制御部１０４は、受信信号に基づく受信音声データをスピーカ１０６に与えることにより、スピーカ１０６に音声を発生させる。
【００１４】
本例において、制御部１０４は、更に、サーバ５０から取得する取得データの一例であるダウンロード情報を、無線部１０２を介して取得して、着信音選択部１１２及び着信画面生成部１１４に与える。そして、ダウンロード情報に応じて着信音選択部１１２が選択した着信音データをスピーカ１０６に与えることにより、スピーカ１０６に着信音を発生させる。
【００１５】
記憶部１１８は、それぞれ異なる着信音に対応し、対応する着信音を発生するためにそれぞれ用いられる複数の着信音データを格納する着信音格納部の一例である。本例において、記憶部１１８は、それぞれの着信音に対応して、表示部１１６を制御するための輝度登録情報及び着信時表示文字登録情報と、ダウンロード情報の処理に用いるキーワード登録情報とを更に格納する。
【００１６】
着信音選択部１１２は、ダウンロード情報に基づき、記憶部１１８に格納された複数の着信音データから、一の着信音データを選択する。本例において、着信音選択部１１２は、キーワード検索処理部１２６及び着信音設定処理部１２０を有する。
【００１７】
キーワード検索処理部１２６は、記憶部１１８に格納されたキーワード登録情報に基づき、ダウンロード情報に対するキーワード検索を行う。また、着信音設定処理部１２０は、当該検索の結果に基づき、一の着信音データを選択する。これにより、着信音選択部１１２は、予め設定されたキーワードがダウンロード情報に含まれているか否かを検索した結果に基づき、一の着信音データを選択する。
【００１８】
スピーカ１０６は、受信音声データに基づく音声を発生する。また、スピーカ１０６は、着信音選択部１１２が選択した着信音データを、制御部１０４を介して記憶部１１８から受け取る。これにより、着信音選択部１１２が一の着信音データを選択した後に携帯電話機１００が着信した場合、スピーカ１０６は、その着信音データに対応する着信音を発生する。
【００１９】
着信画面生成部１１４は、ダウンロード情報に基づき、携帯電話機１００が着信した場合に表示すべき着信画面を生成する。本例において、着信画面生成部１１４は、輝度設定処理部１２２及び着信時表示文字設定処理部１２４を有する。輝度設定処理部１２２及び着信時表示文字設定処理部１２４は、記憶部１１８に格納された輝度登録情報及び着信時表示文字登録情報に基づき、着信画面の輝度、及び着信画面に表示すべき文字を設定する。また、輝度設定処理部１２２は、例えば、着信画面におけるそれぞれの画素の輝度を設定することにより、着信画面として表示すべき画像を生成する。
【００２０】
また、表示部１１６は、例えば携帯電話機１００の液晶ディスプレイであってよく、携帯電話機１００が着信した場合に、着信画面生成部１１４が生成した着信画面を表示する。これにより、表示部１１６は、多様な着信画面を表示することができる。尚、携帯電話機１００が着信した場合、携帯電話機１００は、例えば、着信音を発生せずに、着信画面を表示してもよい。
【００２１】
操作部１１０は、ユーザの入力を受け付ける。操作部１１０は、例えば、ユーザの指示に基づき、キーワード登録情報、輝度登録情報及び着信時表示文字登録情報を受け取る。
【００２２】
本例において、携帯電話機１００は、時刻、曜日、又は季節等のユーザが既知の情報以外の、インターネット等を通じて取得したダウンロード情報に基づき、着信音を発生する。そのため、本例によれば、多様な着信音を発生することができる。尚、携帯電話機１００は、更に、着信音データ及び着信画面の設定と同一又は同様の方法により、予め設定されたアラーム時刻に発生すべきアラーム音を示すアラーム音データと、当該時刻に表示部１１６に表示すべきアラーム時表示画面とを、ダウンロード情報に基づき設定してもよい。
【００２３】
図２は、携帯電話機１００の動作の一例を示すフローチャートである。最初に、制御部１０４は、サーバ５０からダウンロード情報を取得する（Ｓ１０２）。ここで、制御部１０４は、ユーザにより予め指定されたＷｅｂページ等からダウンロード情報を取得してもよく、例えばインターネットを介した自動配信サービスにより、予め設定されたタイミングで自動的にダウンロード情報を取得してもよい。また、制御部１０４は、ダウンロード情報に代えて、サーバ５０から受け取るメールを取得データとして取得してもよい。
【００２４】
制御部１０４は、ダウンロード情報として、例えば、好きなプロ野球チームの試合結果を示す情報や、天気予報を示す情報を取得してよい。尚、本例において、制御部１０４は、テキストデータによるダウンロード情報を取得する。
【００２５】
次に、キーワード検索処理部１２６は、ダウンロード情報に対するキーワード検索を行う（Ｓ１０４）。本例において、キーワード検索処理部１２６は、複数の着信音にそれぞれ対応して予め設定された複数のキーワード登録情報のそれぞれが示す検索式に基づき、ダウンロード情報を順次検索し、検索結果を制御部１０４に与える。
【００２６】
キーワード検索処理部１２６は、当該検索を、例えば、「東京  かつ  （晴れ又は  はれ）」等の複数のキーワードに基づく検索式に従って行ってよい。この場合、キーワード検索処理部１２６は、ダウンロード情報に、「東京」の文字が含まれており、かつ、「晴れ」または「はれ」のいずれかの文字が含まれている場合に、キーワードがダウンロード情報に含まれていると判定する。
【００２７】
ここで、ダウンロード情報に、例えば、「東京  くもり」という文章と、「神奈川  はれ」という文章が含まれている場合、この検索式によれば、東京はくもりであるにもかかわらず、キーワード検索処理部１２６は、東京が晴れであるか否かを判定するためのキーワードがダウンロード情報に含まれていると判定することとなり、検索結果の信頼性が十分に得られない場合がある。
【００２８】
そのため、複数のキーワード検索結果の論理積を用いて検索を行う場合、キーワード検索処理部１２６は、それぞれのキーワードに間にある文字の数に基づき、検索結果の信頼性を更に判定するのが好ましい。キーワード検索処理部１２６は、例えば、「東京」と、「晴れ」又は「はれ」との間に、例えばユーザにより予め設定された数以上の文字が存在する場合には、これらのキーワードがダウンロード情報に含まれていないと判定する。キーワード検索処理部１２６は、ダウンロード情報において、複数のキーワードの間に存在する文字の数に基づき、キーワード検索の結果の信頼性を算出してもよい。
【００２９】
Ｓ１０４の次に、制御部１０４は、それぞれのキーワード登録情報に対応する検索結果に基づき、ダウンロード情報がキーワード登録情報に示された検索条件と合致するか否かを判定する（Ｓ１０６）。制御部１０４は、例えば、いずれかのキーワード登録情報に対応するキーワードがダウンロード情報に含まれている場合に、ダウンロード情報が検索条件と合致していると判定する。
【００３０】
そして、ダウンロード情報が検索条件と合致していると判定された場合、着信音選択部１１２は、検索結果に基づいて一の着信音データを選択することにより、着信時に発生すべき着信音を変更する（Ｓ１０８）。着信音設定処理部１２０は、例えば、検索結果の信頼性が最も高いキーワード登録情報に対応する着信音データを選択してよい。また、着信画面生成部１１４は、選択された着信音データに対応する着信画面を生成する。これにより、携帯電話機１００が着信した場合、スピーカ１０６は、ダウンロード情報に基づいて設定された着信音を発生し、表示部１１６は、ダウンロード情報に基づいて生成された着信画面を表示する。
【００３１】
本例によれば、ダウンロード情報に対する検索に基づき、着信音データを選択することにより、多様な着信音を発生することができる。これにより、例えば、好きなプロ野球チームの勝敗に応じて、勝利又は敗北した旨を知らせる楽しげ又は悲しげな着信音を発生することや、数時間後の天気予報に応じて、晴れ又は曇りの予報を知らせる明るい又はどんよりした雰囲気の着信音を発生することができる。
【００３２】
着信画面生成部１１４は、発生すべき着信音に対応して、例えば、楽しげ、悲しげ、明るい、又はどんよりとした雰囲気の背景等を生成してよい。また、着信画面生成部１１４は、ダウンロード情報に基づき、例えば、プロ野球チームの試合結果や、天気予報を示す情報を生成してもよい。この場合、表示部１１６は、これらの情報を、例えば、着信先の相手の名前とともに表示してよい。この場合、表示部１１６は、ダウンロード情報に基づく情報を、着信先の表示の妨げとならないように表示するのが好ましい。
【００３３】
尚、Ｓ１０６において、ダウンロード情報が検索条件と合致していないと判定された場合、着信音選択部１１２は、新たな着信音データを選択せずに動作を終了する。この場合、スピーカ１０６は、例えば以前に取得したダウンロード情報等によって予め設定されている着信音を発生してよい。
【００３４】
図３は、着信音を設定するための情報をユーザから受け取る場合における、表示部１１６の表示画面の一例を示す。最初に表示部１１６は、図３（ａ）に示すように、新たなキーワード登録情報を設定するか、既に設定されているキーワード登録情報を解除するかをユーザに選択させる画面を表示し、ユーザが新たなキーワード登録情報の設定を選択した場合、図３（ｂ）に示すように、複数のキーワード、及び複数のキーワードに基づく検索式をそれぞれ受け付ける複数のテキストボックスを表示する。ここで、ユーザがキーワードの入力を完了すると、記憶部１１８は、複数のキーワードと、検索式とに基づくキーワード登録情報を、例えば第ｎ番目のキーワード登録情報（キーワードｎ）として格納する。
【００３５】
次に、表示部１１６は、図３（ｃ）に示すように、キーワードｎの設定完了を示すとともに、他のキーワードの設定を行うか否かをユーザに確認する画面を表示する。ここで、ユーザが他のキーワードの設定を選択した場合、表示部１１６は、再度、図３（ｂ）に示す画面を表示して、第ｎ＋１番目のキーワードを受け付ける。
【００３６】
一方、ユーザが他のキーワードの設定しないことを選択した場合、表示部１１６は、図３（ｄ）に示すように、予め設定されている複数の着信音のパターンを示す文字を表示することにより、キーワードｎに対応する着信音を、ユーザに選択させる。表示部１１６は、ユーザに選択された着信音を示す文字を、例えば反転表示等で表示するのが好ましい。また、スピーカ１０６は、ユーザの選択に応じて、選択された着信音の少なくとも一部を発生するのが好ましい。この場合、ユーザは、それぞれの着信音を確認することにより、適切に着信音を選択することができる。また、ユーザが着信音を選択した後にＯＫボタン（図示せず）を押した場合、記憶部１１８は、選択された着信音に対応する着信音データを、キーワードｎと対応付けて格納する。
【００３７】
次に、表示部１１６は、図３（ｅ）に示すように、キーワードｎに対応する着信画面における明るさをユーザに選択させる画面を表示する。表示部１１６は、ユーザの選択に応じて、画面の明るさを、選択された明るさに変化させるのが好ましい。この場合、ユーザは、それぞれの明るさを確認することにより、適切に明るさを選択することができる。記憶部１１８は、選択された明るさを、輝度登録情報として、キーワードｎと対応付けて格納する。
【００３８】
次に、表示部１１６は、図３（ｆ）に示すように、着信時の文字表示設定を行うか否かを確認する画面を表示し、ユーザが設定を行うことを選択した場合、図３（ｇ）に示すように、テキストボックスを表示することにより、文字列を受け付ける。表示部１１６は、受け取った文字列の表示が、着信先の表示の妨げとならないように、テキストボックスに入力可能な文字数を予め設定された数に制限してもよい。また、記憶部１１８は、入力された文字列を、着信時表示文字登録情報として、キーワードｎと対応付けて格納する。
【００３９】
ユーザが文字列の入力を完了した場合、表示部１１６は、キーワードｎに対応する設定画面の表示を終了する。また、図３（ｆ）に示した画面において、ユーザが文字列の解除を行うことを選択した場合、表示部１１６は、新たな文字列を受け付けずに、キーワードｎに対応する設定画面の表示を終了する。
【００４０】
尚、図３（ｂ）、（ｃ）に示した画面の繰り返しにより、ユーザが複数のキーワード登録情報を新たに登録している場合、表示部１１６は、それぞれのキーワード登録情報に対応して、図３（ｄ）〜（ｇ）に示した画面と同様の画面を繰り返し表示することにより、これらのキーワード設定に対する着信音データ、輝度登録情報、及び着信時表示文字登録情報を受け付ける。本例によれば、ユーザの指示を適切に受け付けることができる。
【００４１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４２】
【発明の効果】
上記説明から明らかなように、本発明によれば、多様な着信音を発生することができる。
【図面の簡単な説明】
【図１】本発明の一実施形態に係る携帯電話機１００の構成の一例を示す図である。
【図２】携帯電話機１００の動作の一例を示すフローチャートである。
【図３】表示部１１６の表示画面の一例を示す図である。図３（ａ）〜（ｇ）は、表示部１１６の表示画面の一例を示す。
【符号の説明】
５０・・・サーバ、５２・・・基地局、１００・・・携帯電話機、１０２・・・無線部、１０４・・・制御部、１０６・・・スピーカ、１０８・・・マイク、１１０・・・操作部、１１２・・・着信音選択部、１１４・・・着信画面生成部、１１６・・・表示部、１１８・・・記憶部、１２０・・・着信音設定処理部、１２２・・・輝度設定処理部、１２４・・・着信時表示文字設定処理部、１２６・・・キーワード検索処理部
【図１】
2004221797.tif 000003
【図２】
2004221797.tif 000004
【図３】
2004221797.tif 000005